(57)【要約】【課題】滅菌装置の稼働情報を容易に管理及び把握できるようにする情報管理システムを提供する。【解決手段】サーバ装置及び表示端末を含む情報管理システムであって、前記サーバ装置は、滅菌装置の稼働状況を示す稼働情報を、滅菌装置の種類毎に分類する分類部と、分類された前記稼働情報を前記表示端末に送信する送信部と、を有し、前記表示端末は、表示部と、前記送信部から送信された前記稼働情報を受信する受信部と、受信された前記稼働情報を前記表示部に表示させる表示制御部と、を有する、情報管理システム。【選択図】図４
2020162964.tif 000002
【特許請求の範囲】
【請求項１】
サーバ装置及び表示端末を含む情報管理システムであって、
前記サーバ装置は、
滅菌装置の稼働状況を示す稼働情報を、滅菌装置の種類毎に分類する分類部と、
分類された前記稼働情報を前記表示端末に送信する送信部と、
を有し、
前記表示端末は、
表示部と、
前記送信部から送信された前記稼働情報を受信する受信部と、
受信された前記稼働情報を前記表示部に表示させる表示制御部と、
を有する、情報管理システム。
【請求項２】
前記情報管理システムは、入力装置をさらに有し、
前記稼働情報は、前記入力装置で読み込まれ、
読み込まれた前記稼働情報は、前記分類部に送信されることを特徴とする請求項１記載の情報管理システム。
【請求項３】
前記分類部は、前記稼働情報を、前記滅菌装置毎に分類し、且つ前記稼働情報の種類毎に分類する請求項１に記載の情報管理システム。
【請求項４】
前記表示制御部は、選択された一の滅菌装置の稼働情報の詳細を、前記表示部に表示させることを特徴とする請求項１に記載の情報管理システム。
【請求項５】
前記稼働情報は、滅菌試験の判定結果を示す判定結果情報を含み、
前記判定結果情報は、前記表示端末における入力によって、訂正が可能であることを特徴とする請求項１に記載の情報管理システム。
【請求項６】
前記稼働情報は、滅菌処理を行う器材を示す器材情報を含み、
前記器材情報は、前記表示端末における入力によって、前記器材の追加および／または削除が可能であることを特徴とする請求項１に記載の情報管理システム。
【請求項７】
コンピュータに、滅菌装置の稼働状況を示す稼働情報を、滅菌装置の種類毎に分類させ、
表示端末に、前記分類された稼働情報を表示させる情報管理プログラム。
【発明の詳細な説明】
【技術分野】
【０００１】
本発明は、情報管理システム及び情報管理プログラムに関する。
【背景技術】
【０００２】
医療現場において、例えばメス、鉗子のような器材は、使用後に滅菌処理を行うことが不可欠である。
【０００３】
滅菌方法には、例えば、高圧蒸気滅菌、酸化エチレンガス滅菌、低温プラズマ滅菌等の幾つかの種類がある（特許文献１）。それぞれの滅菌方法において実行される処理は異なる。滅菌処理は、滅菌方法に応じた滅菌装置を用いて行われる。
【０００４】
また、滅菌処理の際には、器材毎に滅菌装置の稼働情報の厳格な管理が必要である。稼働情報は、滅菌装置の稼働を示す情報であり、例えば、滅菌処理の時間、滅菌処理の温度、滅菌開始時間、滅菌完了時間、滅菌試験の判定結果等がある。
【０００５】
従来、滅菌装置の稼働情報の管理は、滅菌装置毎に準備された、紙媒体である帳票に手書きで記入することで行っていた。具体的に、作業者は、滅菌開始時には滅菌開始時刻や作業者名を帳票に記入し、滅菌完了後には滅菌終了時刻を記入し、滅菌試験の完了後にはその判定結果を確認してそれを記入する等、その都度手書きで記入する。そのように手書きで記入された帳票によって、管理を行っていた。
【先行技術文献】
【特許文献】
【０００６】
【特許文献１】特開２００５−２１１０９５号公報
【発明の概要】
【発明が解決しようとする課題】
【０００７】
上述のような、従来の帳票を用いた滅菌装置の管理は、滅菌装置の数や種類が多くなるほど使用する帳票の枚数が多くなる。また滅菌処理は滅菌装置の種類毎に異なるため、滅菌装置の種類毎に、記入すべき事項が異なる。すなわち、従来は、滅菌装置の稼働情報を管理及び把握するための手順が煩雑であり、帳票への記入ミス又はそれに伴うトラブルが生じやすかった。
【０００８】
本発明の目的は、滅菌装置の稼働情報を容易に管理及び把握できるようにする情報管理システムを提供することである。
【課題を解決するための手段】
【０００９】
上記目的を達成するための一の発明は、サーバ装置及び表示端末を含む情報管理システムであって、前記サーバ装置は、滅菌装置の稼働状況を示す稼働情報を、滅菌装置の種類毎に分類する分類部と、分類された前記稼働情報を前記表示端末に送信する送信部と、を有し、前記表示端末は、表示部と、前記送信部から送信された前記稼働情報を受信する受信部と、受信された前記稼働情報を前記表示部に表示させる表示制御部と、を有する情報管理システムである。本発明の他の特徴については、本明細書の記載により明らかにする。
【発明の効果】
【００１０】
本発明によれば、滅菌装置の稼働情報を容易に管理及び把握できるようにする情報管理システムを提供することができる。
【図面の簡単な説明】
【００１１】
【図１】実施形態に係る情報管理システムを説明する図である。
【図２】実施形態に係るサーバ装置を説明する図である。
【図３】実施形態に係る表示端末を説明する図である。
【図４】実施形態に係る稼働情報を示す一覧表示画面を説明する図である。
【図５】実施形態に係る稼働情報を示す詳細表示画面を説明する図である。
【図６】実施形態に係る稼働情報を示す詳細表示画面を説明する図である。
【図７】実施形態に係る稼働情報を示す判定結果訂正画面を説明する図である。
【図８】実施形態に係る稼働情報を示す判定結果訂正画面を説明する図である。
【図９】実施形態に係る稼働情報を示す詳細表示画面を説明する図である。
【図１０】実施形態に係る稼働情報を示す器材訂正画面を説明する図である。
【図１１】実施形態に係る稼働情報を示す器材訂正画面を説明する図である。
【図１２】実施形態に係る稼働情報を示す詳細表示画面を説明する図である。
【発明を実施するための形態】
【００１２】
＜実施形態＞
＝＝情報管理システム＝＝
図１を参照して、本実施形態に係る情報管理システム１について説明する。本実施形態に係る情報管理システム１は、滅菌装置２、入力装置３、サーバ装置４及び表示端末５を含む。本実施形態に係る情報管理システム１は、病院等の施設に配置される。
【００１３】
［滅菌装置］
滅菌装置２は、器材に滅菌処理を行うための装置である。滅菌処理は、器材の使用前に行っても、使用後に行ってもよい。情報管理システム１が配置された施設で器材が使用されると、当該施設の滅菌担当作業者等（以下、作業者と呼ぶ）は、滅菌装置２を用いて、器材に滅菌処理を行う。滅菌装置２には、滅菌方法に応じて複数の種類がある。滅菌方法には、例えば、高圧蒸気滅菌（ＡＣ）、酸化エチレンガス滅菌（ＥＯＧ）、低温過酸化水素プラズマ滅菌（ＰＬ）等がある。滅菌対象は特に限定されないが、細菌などの微生物や、カビなどの真菌が例示できる。
【００１４】
高圧蒸気滅菌は、高温高圧の水蒸気中で器材を加熱することによる滅菌方法である。高圧蒸気滅菌は、高温高圧の水蒸気に耐え得る耐熱性及び耐圧性を有する器材、例えば、ガラス器具、金属製の手術器材、リネン類等の器材に対して用いられる。高圧蒸気滅菌を用いた滅菌処理には、滅菌装置２への器材の投入、滅菌開始及び滅菌完了を含む滅菌工程、滅菌装置２からの取出し、ＰＣＤ判定、払出し前確認等の工程が含まれる。
【００１５】
酸化エチレンガス滅菌は、酸化エチレンガスを器材に直接浸透させることによる滅菌方法である。酸化エチレンガス滅菌は、高圧蒸気滅菌に比べて処理温度が低いため、高圧蒸気滅菌に耐え得る耐熱性又は耐圧性を有しない器材、例えば、プラスチックやゴム製品等の器材に対して用いられる。酸化エチレンガス滅菌を用いた滅菌処理には、滅菌装置２への器材の投入、滅菌開始及び滅菌完了を含む滅菌工程、滅菌装置２からの取出し、培養開始及び培養完了を含むＢＩ（biological indicator）の培養工程、ＢＩ判定、ＣＩ（chemical indicator）判定等の工程が含まれる。
【００１６】
低温過酸化水素プラズマ滅菌は、過酸化水素をプラズマで分解することで発生する酸素原子を含むラジカルによって微生物を不活化する滅菌方法である。低温過酸化水素プラズマ滅菌は、酸化エチレンガス滅菌に比べて滅菌処理に要する時間が短い。低温過酸化水素プラズマ滅菌は、高圧蒸気滅菌に比べて滅菌温度が低いため、高圧蒸気滅菌に耐え得る耐熱性又は耐圧性を有しない器材、例えば、プラスチックやゴム製品等の器材に対して用いられる。低温過酸化水素プラズマ滅菌を用いた滅菌処理には、滅菌装置２への器材の投入、滅菌開始及び滅菌完了を含む滅菌工程、滅菌装置２からの取出し、培養開始及び培養完了を含むＢＩの培養工程、ＢＩ判定、ＣＩ判定等の処理を含む。
【００１７】
本実施形態に係る情報管理システム１は、複数の滅菌装置２を備えている。複数の滅菌装置２には、高圧蒸気滅菌装置２１、酸化エチレンガス滅菌装置２２及び低温プラズマ滅菌装置２３がそれぞれ複数含まれている。滅菌装置２には、識別情報が付されている。識別情報は、各滅菌装置２を識別するための情報である。識別情報は、例えば、数字及びアルファベットの組み合わせから成る。滅菌装置２のそれぞれの筐体には、滅菌装置２のそれぞれに付された識別情報を表す識別子２ａが貼付されている。識別子２ａは、例えばバーコードや２次元バーコードである。
【００１８】
滅菌装置２を用いて滅菌が行われる器材には、各器材を識別するための識別情報が付されている。滅菌処理の際、原則として器材には、識別情報を表す識別子がそれぞれ貼付される。識別子を貼付することができないほど小さい器材は、滅菌袋に包装し、滅菌袋に識別子を貼付する。また、複数の器材からなる組み物は、まとめて滅菌袋に包装して滅菌袋に識別子を貼付したり、カートに収容して当該カートに識別子を貼付したりする。また、複数の部品に分解することができる器材は、分解した状態で滅菌袋に包装して滅菌袋に識別子を貼付したり、カートに収容してカートに識別子を貼付したりする。
【００１９】
また、滅菌処理の際、滅菌試験のための各種インジケータが滅菌装置２に投入される。滅菌試験は、滅菌完了後に行われる。滅菌試験は、器材に付着又は混入していた微生物や細菌が滅菌処理によって死滅したか否か、又は滅菌処理中に滅菌装置２のチャンバ内において、予め設定された滅菌時間や滅菌温度等の条件が達成されたか否かを確認するための試験である。滅菌試験のためのインジケータには、例えば、生物学的インジケータ（ＢＩ）、化学的インジケータ（ＣＩ）等がある。
【００２０】
生物学的インジケータは、各滅菌法に対して高い抵抗性を示す指標菌である。生物学的インジケータによる滅菌試験は、滅菌処理の際、指標菌を付着させたろ紙などを、滅菌装置２のチャンバ内の所定の場所に配置し、滅菌完了後にろ紙を培養して、指標菌が増殖しないことを確認することで滅菌判定を行う。
【００２１】
化学的インジケータは、滅菌のための蒸気又はガス等と反応することによって色調が変化する試験紙である。化学的インジケータによる滅菌試験は、試験紙を、滅菌装置２のチャンバ内の所定の場所に配置したり、器材と共に滅菌袋に包装したりし、滅菌温度や滅菌時間等の必要な条件を達成したか否か、滅菌剤が器材に浸透したか否か等を、試験紙の色調の変化から判定することで滅菌判定を行う。
【００２２】
［入力装置］
入力装置３は、滅菌装置２及び器材に付された識別子を読み込み、滅菌装置２及び器材の識別情報をサーバ装置４に送信する。また、入力装置３は、作業者から滅菌装置２の稼働情報の入力を受け付け、当該稼働情報をサーバ装置４に送信する。
【００２３】
稼働情報とは、滅菌装置２や入力装置３で設定されたり、入力されたりした滅菌装置２の稼働に関する情報や、滅菌装置２の稼働に付随する情報である。稼働情報は、滅菌装置２の種類ごとに種類分けされている。滅菌装置２の稼働に関する情報とは、例えば、稼働している滅菌装置２、当該滅菌装置２で滅菌を行う器材の種類、器材を収納するカート、当該滅菌装置２で設定された滅菌温度、滅菌開始時刻、滅菌時間、滅菌完了時刻、滅菌処理の各工程を担当した作業者名等である。また、滅菌装置２の稼働に付随する情報としては、滅菌処理を行う作業日、判定結果情報、払出前確認結果情報等がある。判定結果情報とは、滅菌試験の判定結果を示す情報である。払出前確認結果情報とは、滅菌処理を行った器材が、医療現場において使用可能な状態であるか否かの最終確認結果を示す情報である。
【００２４】
入力装置３は、通信部、スキャナ部、入力部、表示部等を有する（図示せず）。スキャナ部は、滅菌装置２に付された識別子２ａ及び器材に付された識別子を読み込む。入力装置３は、これによって、滅菌装置２及び器材に付された識別情報を取得することができる。入力部は、複数のボタンが配置され、作業者は文字入力をすることができる。表示部は、ディスプレイ等であり、スキャナ部によって読み込まれた識別子に応じて、滅菌装置２及び器材の識別情報を表示することができる。また、表示部は、入力部を介して入力された文字などを表示することができる。通信部は、構内ＬＡＮ等を介して、サーバ装置４と通信を行う。これによって、読み込まれた識別子や、入力された文字等をサーバ装置４に送信することができる。
【００２５】
サーバ装置４は、複数の滅菌装置２の稼働情報を集中管理する装置である。サーバ装置４には、本実施形態に係る情報管理を行うための情報管理プログラムが予めインストールされている。サーバ装置４の詳細は後述する。
【００２６】
表示端末５は、例えば、パーソナルコンピュータ、又はタブレット端末、スマートフォン等の携帯型端末である。表示端末５の詳細は後述する。
【００２７】
＝＝サーバ装置＝＝
サーバ装置４の詳細について、図２を用いて説明する。本実施形態に係るサーバ装置４は、記憶部４１と、分類部４２と、送信部４３と、を有している。
【００２８】
記憶部４１は、情報管理システム１が有する複数の滅菌装置２の滅菌装置情報及び滅菌を行う器材の器材情報等を記憶している。滅菌装置情報とは、滅菌装置２に付された識別情報、施設内において当該滅菌装置２に付与された呼称、当該滅菌装置２の種類等であり、これらが対応表によって滅菌装置２毎に紐付けられて記憶されている。器材情報とは、器材に付された識別情報等であり、これらが対応表によって器材の種類毎に紐付けられて記憶されている。
【００２９】
分類部４２は、滅菌装置２の稼働状況を示す稼働情報を、滅菌装置２の種類毎に分類する。
【００３０】
作業者は、滅菌装置２に付された識別子２ａ、及び滅菌装置２で滅菌処理を行う器材に付された識別子を入力装置３に読み込ませ、稼働情報を入力装置３に入力する。
【００３１】
その後、サーバ装置４の分類部４２に、情報管理システム１が有する複数の滅菌装置２のうち稼働中の一または複数の滅菌装置２について、入力装置３から稼働情報が送信される。分類部４２は、入力装置３から出力された稼働情報を、滅菌装置２の種類毎に分類する。分類部４２は、更に、稼働情報を、稼働情報の種類毎に、稼働中の滅菌装置２についてまとめることによって、他の稼働情報と分けて分類する。
【００３２】
以下では、滅菌処理の各工程において、サーバ装置４が稼働情報を取得する手順について、詳細に説明する。尚、滅菌装置２の説明で述べたように、滅菌処理は複数の工程を含み、滅菌装置２の種類によって異なる工程を含む。以下では、特に、滅菌装置２への器材の投入、滅菌開始、滅菌完了、滅菌装置２からの器材の取出し、培養開始、培養完了、及び滅菌試験を例示して説明する。
【００３３】
（滅菌装置２への器材の投入時）
作業者は、滅菌装置２へ器材及び生物学的インジケータを投入する際、投入時刻を入力装置３に入力する。作業者は、更に、当該滅菌装置２に付された識別子２ａ、及び滅菌処理を行う器材に付された識別子を、入力装置３に読み込ませる。入力装置３は、これらの識別情報及び投入時刻を、サーバ装置４に送信する。サーバ装置４は、これらの識別情報及び投入時刻を受信すると、記憶部４１の対応表を参照して滅菌装置２を特定し、当該滅菌装置２への器材の投入時刻を、稼働情報として取得する。更に、サーバ装置４は、対応表を参照し、受信した滅菌処理を行う器材に付された識別情報から、当該滅菌装置２で滅菌が行われる器材の種類を、稼働情報として記憶部４１に保存する。
【００３４】
サーバ装置４には、情報管理システム１が有する複数の滅菌装置２のうち稼働中の一又は複数の滅菌装置２について、入力装置３から投入時間が送信される。サーバ装置４の分類部４２は、入力装置３から送信された投入時刻を滅菌装置２の種類毎に分類する。分類部４２は、更に、投入時刻を、滅菌装置２毎に分類する。分類部４２は、更に、サーバ装置４に送信された一の滅菌装置２についての稼働情報が投入時刻である場合、他の滅菌装置２についての投入時刻とまとめることによって、投入時刻として他の稼働情報と分けて分類する。
【００３５】
（滅菌開始時）
作業者は、滅菌装置２で滅菌を開始すると、滅菌開始時刻を入力装置３に入力する。滅菌開始時刻は、例えば滅菌装置２の表示部に表示された滅菌開始時刻を目視で確認し、入力装置３に入力する。作業者は、更に、当該滅菌装置２に付された識別子２ａを、入力装置３に読み込ませる。入力装置３は、このようにして取得した滅菌開始時刻及び滅菌装置２に付された識別情報を、サーバ装置４に送信する。サーバ装置４は、滅菌開始時刻及び滅菌装置２に付された識別情報を受信すると、記憶部４１の対応表を参照して滅菌装置２を特定し、当該滅菌装置２の滅菌開始時刻を稼働情報として記憶部４１に保存する。
【００３６】
サーバ装置４の分類部４２は、入力装置３から送信された滅菌開始時刻を滅菌装置２の種類毎に分類する。分類部４２は、更に、サーバ装置４に送信された一の滅菌装置２についての稼働情報が滅菌開始時刻である場合、他の滅菌装置２についての滅菌開始時刻とまとめることによって、滅菌開始時刻として他の稼働情報と分けて分類する。
【００３７】
（滅菌完了時）
作業者は、滅菌が完了すると、滅菌完了時刻を入力装置３に入力する。滅菌完了時刻は、例えば滅菌装置２の表示部に示された滅菌完了時刻を目視で確認し、入力装置３に入力する。作業者は、更に、当該滅菌装置２に付された識別子２ａを、入力装置３に読み込ませる。入力装置３は、このようにして取得した滅菌完了時刻及び滅菌装置２に付された識別情報を、サーバ装置４に送信する。サーバ装置４は、滅菌完了時刻及び滅菌装置２に付された識別情報を受信すると、記憶部４１の対応表を参照して滅菌装置２を特定し、当該滅菌装置２の滅菌完了時刻を稼働情報として記憶部４１に保存する。
【００３８】
サーバ装置４の分類部４２は、入力装置３から送信された滅菌完了時刻を滅菌装置２の種類毎に分類する。分類部４２は、更に、サーバ装置４に送信された一の滅菌装置２についての稼働情報が滅菌完了時刻である場合、他の滅菌装置２についての滅菌完了時刻とまとめることによって、滅菌完了時刻として他の稼働情報と分けて分類する。
【００３９】
（滅菌装置２からの器材の取り出し時）
作業者は、滅菌装置２から器材及び生物学的インジケータを取り出す際、取り出し時刻を入力装置３に入力する。作業者は、更に、当該滅菌装置２に付された識別子２ａ及び滅菌処理が行われた器材に付された識別子を、入力装置３に読み込ませる。入力装置３は、これらの識別情報及び取り出し時刻を、サーバ装置４に送信する。サーバ装置４は、これらの識別情報及び取り出し時刻を受信すると、記憶部４１の対応表を参照して滅菌装置２を特定し、当該滅菌装置２への器材の取り出し時刻を稼働情報として取得する。更に、サーバ装置４は、対応表を参照し、当該滅菌装置２で滅菌が行われた器材の種類を稼働情報として記憶部４１に保存する。
【００４０】
サーバ装置４には、情報管理システム１が有する複数の滅菌装置２のうち稼働中の滅菌装置２について、入力装置３から取り出し時刻が送信される。分類部４２は、入力装置３から送信された取り出し時刻を滅菌装置２の種類毎に分類する。分類部４２は、更に、サーバ装置４に出力された一の滅菌装置２についての稼働情報が取り出し時刻である場合、他の滅菌装置２についての取り出し時刻とまとめることによって、取り出し時刻として他の稼働情報と分けて分類する。
【００４１】
（培養開始時）
酸化エチレンガス滅菌装置２２又は低温プラズマ滅菌装置２３で滅菌された生物学的インジケータの培養を開始する際、作業者は、培養開始時刻を入力装置３に入力する。作業者は、更に、滅菌装置２に付された識別子２ａを、入力装置３に読み込ませる。入力装置３は、このようにして取得した培養開始時刻及び滅菌装置２に付された識別情報を、サーバ装置４に送信する。サーバ装置４は、培養開始時刻及び滅菌装置２に付された識別情報を受信すると、記憶部４１の対応表を参照し、滅菌装置２を特定し、当該滅菌装置２の培養開始時刻を稼働情報として記憶部４１に保存する。
【００４２】
（培養完了時）
作業者は、生物学的インジケータの培養が完了すると、培養完了時刻を入力装置３に入力する。作業者は、更に、当該滅菌装置２に付された識別子２ａを、入力装置３に読み込ませる。入力装置３は、このようにして取得した培養完了時刻及び滅菌装置２に付された識別情報を、サーバ装置４に送信する。サーバ装置４は、培養完了時刻及び滅菌装置２に付された識別情報を受信すると、記憶部４１の対応表を参照して滅菌装置２を特定し、当該滅菌装置２の培養完了時刻を稼働情報として記憶部４１に保存する。
【００４３】
（滅菌試験時）
作業者は、滅菌処理後の生物学的インジケータに対して滅菌試験を行った後、判定結果を入力装置３に入力する。作業者は、更に、使用した滅菌装置２に付された識別子を、入力装置３に読み込ませる。入力装置３は、このようにして取得した判定結果並びに滅菌装置２の識別情報を、サーバ装置４に送信する。サーバ装置４は、判定結果並びに滅菌装置２の識別情報を受信すると、記憶部４１の対応表を参照して滅菌装置２を特定し、当該滅菌装置２の判定結果を判定結果情報として記憶部４１に保存する。
【００４４】
＝＝表示端末の詳細＝＝
サーバ装置４の送信部４３は、表示端末５や入力装置３等との通信を行うためのインターフェースを提供する。作業者が表示端末５において情報管理プログラムを起動すると、表示端末５は、稼働情報の取得要求をサーバ装置４に送信する。サーバ装置４の送信部４３は、表示端末５からの送信に応答して、分類部４２によって分類された稼働情報を表示端末５に送信する。
【００４５】
表示端末５の詳細について、図３を用いて説明する。表示端末５は、ディスプレイ等の表示部５１、キーボードやマウス等の入力部５２、表示制御部５３及び受信部５４を有する。表示制御部５３は、サーバ装置４の分類部４２によって分類された稼働情報を、表示部５１に表示させる。表示制御部５３は、稼働情報を、幾つかの態様で表示部５１に表示させることができる。例えば、一覧表示画面、詳細表示画面、検査結果訂正画面、器材訂正画面等である。受信部５４は、サーバ装置４からの送信を受信する。以下では、これらについて詳細に説明する。なお、各画面での選択や入力は入力部５２を用いて行う。
【００４６】
（一覧表示画面）
表示制御部５３は、情報管理システム１が有する複数の滅菌装置２のうち、稼働中の滅菌装置２の稼働情報の一覧を、表示部５１に表示させることができる。
【００４７】
図４は、表示部５１に表示された一覧表示画面５ａの一例である。表示制御部５３は、表示端末５において情報管理プログラムを起動し、一覧表示画面５ａを表示部５１に表示させる。一覧表示画面５ａは、稼働情報のうち、作業日、及びこの作業日における滅菌装置２の稼働情報を表示している。
【００４８】
作業日は、一覧表示画面５ａにおいて、左上に示されている。作業日の左にはボタンＢ１が配置され、右側にはボタンＢ２が配置されている。例えばマウスでクリックすることによってボタンＢ１を選択すると、稼働情報のうち、当該作業日の前日の稼働情報を示す画面に切り替わる。ボタンＢ２を選択すると、稼働情報のうち、当該作業日の翌日の稼働情報を示す画面に切り替わる。また、ボタンＢ２の右側にはカレンダーを表示するボタンＢ３が配置されている。ボタンＢ３を選択すると、カレンダーが表示され、このカレンダーから所望の日付を選択すると、稼働情報のうち、所望の日の滅菌装置２の稼働情報を表示する画面に切り替わる。
【００４９】
当該作業日における滅菌装置２の稼働情報は、作業日の下に、縦に配列された３つの表Ｔ１〜Ｔ３として示されている。上段、中段及び下段の表は、それぞれ、情報管理システム１が有する高圧蒸気滅菌装置２１、低温プラズマ滅菌装置２３及び酸化エチレンガス滅菌装置２２の稼働状況を示している。
【００５０】
表Ｔ１の各行は、複数台配置されている高圧蒸気滅菌装置２１の各々に対応している。表Ｔ２の各行は、複数台配置されている酸化エチレンガス滅菌装置２２の各々に対応している。表Ｔ３の各行は、複数台配置されている低温プラズマ滅菌装置２３の各々に対応している。表Ｔ１〜Ｔ３の右側に配置されたスクロールバーを、マウスカーソルを用いて上下に移動させると、表Ｔ１〜Ｔ３がスクロールする。表Ｔ１〜Ｔ３の各列は、滅菌装置２毎の各種稼働情報に対応している。このように、この例では、表示制御部５３は、稼働情報を、滅菌装置２毎に表示部５１に表示させる。
【００５１】
高圧蒸気滅菌装置２１の稼働情報を示す上段の表Ｔ１において、最左端の１列目から最右端の７列目までに、使用回数、設備名、カート名、滅菌開始時刻、滅菌完了時刻、ＰＣＤ判定結果、及び払出前確認結果が、この順に表示されている。
【００５２】
使用回数とは、作業日に各滅菌装置２が使用された回数を意味する。設備名とは、複数の滅菌装置２の各々を識別するための施設内における呼称である。滅菌開始時刻及び滅菌完了時刻は、それぞれ滅菌処理の開始時刻及び完了時刻を示している。ＰＣＤ判定結果とは、滅菌が完了した後のＰＣＤ判定の結果である。ＰＣＤ判定とは、工程試験用具を用いた滅菌試験である。工程試験用具は、内腔を有する器材を模している。工程試験用具は、その内腔に各種インジケータを内包した状態で、高圧蒸気滅菌装置２１のチャンバ内に投入される。これによって、各種インジケータは、高圧蒸気滅菌における高圧蒸気にさらされる。
【００５３】
低温プラズマ滅菌装置２３の稼働情報を示す中段の表Ｔ２において、最左端の１列目から最右端の８列目までに、使用回数、設備名、滅菌開始時刻、滅菌完了時刻、培養開始時刻、培養完了時刻、ＢＩ判定結果、及びＣＩ判定結果が、この順で示されている。
【００５４】
使用回数、設備名、滅菌開始時刻及び滅菌完了時刻については、高圧蒸気滅菌装置２１と同様である。ＢＩ判定結果は、生物学的インジケータによる判定結果を示す。培養開始時刻及び培養完了時刻は、それぞれ、生物学的インジケータによる判定の際に、指標菌の培養を開始した時刻及び完了した時刻である。ＣＩ判定結果は、化学的インジケータによる判定結果を示す。
【００５５】
酸化エチレンガス滅菌装置２２の稼働情報を示す下段の表Ｔ３において、この例では、最左端の１列目から、最右端８列目まで、８項目の稼働情報が示されており、低温プラズマ滅菌装置２３と同様である。
【００５６】
（詳細表示画面）
表示制御部５３は、選択された一の滅菌装置２の稼働情報の詳細を、表示部５１に表示させることができる。稼働情報の詳細とは、例えば、稼働情報のうち、図４の一覧表示画面５ａに示された稼働情報には含まれていない稼働情報である。
【００５７】
図５は、表示端末５の表示部５１に表示された稼働情報の詳細を示す詳細表示画面５０ａの一例である。詳細表示画面５０ａは、複数台の高圧蒸気滅菌装置２１のうち、設備名が「ＡＣ３号機」である装置の稼働情報の詳細を示している。詳細表示画面５０ａは、図４の高圧蒸気滅菌装置２１の稼働情報を示す表Ｔ１において「ＡＣ３号機」が記載されている行を、マウスでクリックすることによって表示される。
【００５８】
詳細表示画面５０ａにおいて、稼働情報の詳細として、取出時刻、滅菌担当、取出担当、及び検査担当が示されている。滅菌担当、及び取出担当は、それぞれ、滅菌装置２を稼働して滅菌処理を開始させる作業者、及び滅菌完了後に滅菌装置２から器材を取り出す作業者である。検査担当は、滅菌試験（この例ではＰＣＤ判定による試験）の担当者である。
【００５９】
更に、詳細表示画面５０ａにおいて、右側に表Ｔ４が示されている。表Ｔ４は、稼働情報のうち器材情報及び判定結果情報を含んでいる。表Ｔ４の各行は、滅菌が行われる各器材、又は各器材に対応している。表Ｔ４の各列は、１列目から４列目までに、段数、セット名称、ラベル／コンテナＩＤ及び判定結果が示されている。
【００６０】
段数とは、器材が複数段から成るカートに収納された状態で滅菌を行う場合に、当該カートにおいて各器材が収納される段を意味する。セット名称とは、器材の組み物名称を意味する。ラベル／コンテナＩＤとは、各器材の識別情報である。この例では、識別情報は、数字及びアルファベットの組み合わせから成っている。
【００６１】
（判定結果訂正画面）
表示制御部５３は、滅菌試験の判定結果を訂正するための画面を、表示部５１に表示させることができる。
【００６２】
作業者が入力装置３に滅菌試験の判定結果を入力する際、入力ミスをする可能性がある。例えば、実際の判定結果とは反対の結果を入力したり、入力を怠ったり、又は入力箇所を誤ったりする可能性がある。これらの場合に備えて、表示端末５において、判定結果情報の訂正が可能である。
【００６３】
図６は、表示部５１に表示された稼働情報を示す詳細表示画面５０ａの一例である。詳細表示画面５０ａは、図４の稼働情報の「ＡＣ４号機」が記載された行をマウスでクリックすることによって表示される。この例では、ＡＣ４号機について、判定結果がＮＧ（不合格）であったにも関わらず、ＡＣ４号機で滅菌を行った器材について、ＯＫ（合格）と入力装置３に入力した場合を示している。このような入力ミスは、例えば、後の滅菌処理の工程を担当する作業者が、処理前に詳細表示画面５０ａから滅菌試験結果を確認し、更に当該滅菌試験で使用された試験紙や指標菌を確認した場合に発覚する可能性がある。
【００６４】
図７及び図８は、ＡＣ４号機で滅菌を行った器材のうち、「インディゴ」についての判定結果を訂正するための判定結果訂正画面５００ａである。判定結果訂正画面５００ａは、図６の詳細表示画面５０ａの稼働情報の「インディゴ」に対応する行を選択することによって表示される。この判定結果訂正画面５００ａの上部には、滅菌試験の判定について、「ＯＫ」、「ＮＧ」又は「未判定」と付されたボタンＢ４〜Ｂ６が配置されている。この段階では、「ＯＫ」と付されたボタンＢ４が選択された状態であり、滅菌試験の判定結果が合格であることを示している。
【００６５】
正しい判定結果に訂正するために、図７の判定結果訂正画面５００ａにおいて「ＮＧ」と付されたボタンＢ５を新たに選択すると、「ＯＫ」と付されたボタンＢ４の選択は自動的に解除される。そして、右下のＯＫボタンＢ７を選択し、訂正を保存する（図８）。これによって、稼働情報を示す詳細表示画面５０ａに、「インディゴ」についての正しい判定結果が反映される（図９）。同様の手順によって、「鼻鉗子セットＢ」についても判定結果を訂正することができる。
【００６６】
（器材訂正画面）
表示制御部５３は、器材情報を訂正するための画面を、表示部５１に表示させることができる。作業者が入力装置３に器材情報を入力する際、入力ミスをする可能性がある。例えば、誤った器材情報を入力したり、入力漏れをしたりする可能性がある。これらの場合に備えて、器材情報は、表示端末５において器材の追加および／または削除が可能である。
【００６７】
以下では、図６の詳細表示画面５０ａに示す「ＡＣ４号機」の稼働情報において、入力装置３に器材情報を入力する際に、セット名称が「脊椎Ｃ」である器材の入力漏れがあった場合を想定して説明する。
【００６８】
図１０及び図１１は、器材を追加するための器材訂正画面５００ｂである。図１０の器材訂正画面５００ｂは、図６の詳細表示画面５０ａの右側の表Ｔ４の上に配置された追加ボタンＢ８を選択することによって表示される。図１０の器材訂正画面５００ｂにおいて、追加すべき器材に対応するラベル／コンテナＩＤの入力を求められる。ここで、「脊椎Ｃ」を示すラベル／コンテナＩＤを入力する。これによって、入力漏れのあった器材を追加し、（図１１）稼働情報を示す詳細表示画面５０ａに正しい判定結果を反映させることができる（図１２）。
【００６９】
尚、追加ボタンＢ８の隣に配置された削除ボタンＢ９をマウスでクリックすると、器材訂正画面５００ｂが表示される。この画面において、入力済みの器材のうち、所望の器材を器材情報から削除することができる。
【００７０】
（他の態様）
本実施形態に係る情報管理システム１の説明において、一の病院等の施設に配置される態様を示した。しかし、情報管理システム１の構成はこれに限られず、一部の構成要素が他の施設に配置されてもよい。例えば、サーバ装置４と、他の構成要素とが異なる施設に配置されてもよい。または、滅菌装置２（及び入力装置３）と、表示端末５とが異なる施設に配置されてもよい。
【００７１】
また、本実施形態に係る情報管理システム１の説明において、入力装置３に滅菌装置２の稼働情報を入力し、入力装置３がサーバ装置４に稼働情報を送信する態様を示した。しかし、滅菌装置２がサーバ装置４と直接通信することによって、サーバ装置４に稼働情報を送信してもよい。また、本実施形態で説明した入力装置３の処理を、表示端末５が実行してもよい。
【００７２】
（まとめ）
以上の通り、本実施形態に係る情報管理システム１は、サーバ装置４及び表示端末５を含む情報管理システム１であって、サーバ装置４は、滅菌装置２の稼働状況を示す稼働情報を、滅菌装置２の種類毎に分類する分類部４２と、分類された稼働情報を表示端末５に送信する送信部４３と、を有し、表示端末５は、表示部５１と、前記送信部から送信された前記稼働情報を受信する受信部５４と、受信された前記稼働情報を前記表示部に表示させる表示制御部５３と、を有する。
【００７３】
このような構成によって、種類の異なる滅菌装置２毎に稼働状況を一元管理することができる。更に、紙媒体を用いた管理が不要となるため、滅菌装置２の稼働状況を容易に管理及び把握することができる。
【００７４】
また、本実施形態に係る情報管理システム１は入力装置３をさらに有し、稼働情報は、入力装置３で読み込まれ、読み込まれた稼働情報は、分類部４２に送信される。このように、識別子を読み取るだけで、識別子に含まれる稼働情報を自動的に分類できるため、滅菌装置２の稼働状況を更に容易に管理することができる。
【００７５】
また、本実施形態に係る情報管理システム１において、分類部４２は、稼働情報を、滅菌装置２毎に分類し、且つ稼働情報の種類毎に分類する。これによって、表示端末５が、滅菌装置２の種類毎に稼働情報を一覧表示することができるよう整理することができる。
【００７６】
また、本実施形態に係る情報管理システム１において、表示制御部５３は、選択された一の滅菌装置２の稼働情報の詳細を、表示部５１に表示させる。これによって、滅菌装置２毎の稼働状況を容易かつ詳細に把握することができる。
【００７７】
また、本実施形態に係る情報管理システム１において、稼働情報は、滅菌試験の判定結果を示す判定結果情報を含み、判定結果情報は、表示端末５における入力によって、訂正が可能である。これによって、作業者が入力装置３を介して判定結果情報を入力する際に入力ミスをしたことが後に発覚した場合に、表示端末５を介して判定結果情報を訂正することができる。
【００７８】
また、本実施形態に係る情報管理システム１において、稼働情報は、滅菌処理を行う器材を示す器材情報を含み、器材情報は、表示端末５における入力によって、器材の追加および／または削除が可能である。これによって、作業者が入力装置３を介して器材情報を入力する際に入力ミスをしたことが後に発覚した場合に、表示端末５を介して器材情報を訂正することができる。
【００７９】
本実施形態に係る情報管理プログラムは、コンピュータに、滅菌装置２の稼働状況を示す稼働情報を、滅菌装置２の種類毎に分類させ、表示端末５に、分類された稼働情報を表示させる。これによって、種類の異なる滅菌装置２毎に、稼働状況を一元管理することができる。更に、紙媒体を用いた管理が不要となるため、滅菌装置２の稼働状況を容易に管理及び把握することができる。
【００８０】
＝＝その他＝＝
上記いずれかの実施形態の情報管理プログラムが記憶された非一時的なコンピュータ可読媒体（non-transitory computer readable medium with an executable program thereon）を用いて、コンピュータにプログラムを供給することも可能である。なお、非一時的なコンピュータの可読媒体の例は、磁気記録媒体（例えばフレキシブルディスク、磁気テープ、ハードディスクドライブ）、ＣＤ−ＲＯＭ（Read Only Memory）等がある。
【００８１】
上記実施形態は、発明の例として提示したものであり、発明の範囲を限定するものではない。上記の構成は、発明の要旨を逸脱しない範囲で、種々の省略、置き換え、変更を行うことができる。上記実施形態やその変形は、発明の範囲や要旨に含まれると同様に、特許請求の範囲に記載された発明とその均等の範囲に含まれる。
【符号の説明】
【００８２】
１：情報管理システム
２：滅菌装置
２ａ：識別子
３：入力装置
４：サーバ装置
４１：記憶部
４２：分類部
４３：送信部
５：表示端末
５１：表示部
５２：入力部
５３：表示制御部
５４：受信部
５ａ：一覧表示画面
５０ａ：詳細表示画面
５００ａ：判定結果訂正画面
５００ｂ：器材訂正画面
【図１】
2020162964.tif 000003
【図２】
2020162964.tif 000004
【図３】
2020162964.tif 000005
【図４】
2020162964.tif 000006
【図５】
2020162964.tif 000007
【図６】
2020162964.tif 000008
【図７】
2020162964.tif 000009
【図８】
2020162964.tif 000010
【図９】
2020162964.tif 000011
【図１０】
2020162964.tif 000012
【図１１】
2020162964.tif 000013
【図１２】
2020162964.tif 000014